(57)【特許請求の範囲】
【請求項１】
ＤＩＣＯＭ  ＳＴＯＲＡＧＥ  ＳＣＵ機能を有する医用画像取得装置にて取得された医用画像情報を、前記医用画像取得装置と有線にて接続された状態で受信する第一医用画像情報処理部と、前記第一医用画像情報処理部にて受信した医用画像情報を、前記第一医用画像情報処理部と有線にて接続された状態で受信し、該受信した医用画像情報を、無線を用いてクラウドコンピューティングへ送信する第一通信部と、該送信された医用画像情報を、無線を用いてクラウドコンピューティングから受信する第二通信部と、前記第二通信部にて受信した医用画像情報を、前記第二通信部と有線にて接続された状態で受信し、該受信した医用画像情報を、ＤＩＣＯＭ  ＳＴＯＲＡＧＥ  ＳＣＰ機能を有する画像サーバと有線にて接続された状態で前記画像サーバへ送信する第二医用画像情報処理部と、を有し、
ＤＩＣＯＭ  ＳＴＯＲＡＧＥ  ＳＣＵ機能、及び、ＤＩＣＯＭ  ＳＴＯＲＡＧＥ  ＳＣＰ機能のうち、前記第一医用画像情報処理部は、ＤＩＣＯＭ  ＳＴＯＲＡＧＥ  ＳＣＰ機能のみを有し、前記第二医用画像情報処理部は、ＤＩＣＯＭ  ＳＴＯＲＡＧＥ  ＳＣＵ機能のみを有して構成され、
更に、前記第一医用画像情報処理部及び第一通信部は、前記第二医用画像情報処理部及び第二通信部とは別体に設けられていることを特徴とする医用画像情報転送システム。
【請求項２】
ＤＩＣＯＭ  ＳＴＯＲＡＧＥ  ＳＣＵ機能、及び、ＤＩＣＯＭ  ＳＴＯＲＡＧＥ  ＳＣＰ機能のうち、ＤＩＣＯＭ  ＳＴＯＲＡＧＥ  ＳＣＰ機能のみを有した第一医用画像情報処理部を用いてＤＩＣＯＭ  ＳＴＯＲＡＧＥ  ＳＣＵ機能を有する医用画像取得装置にて取得された医用画像情報を、前記医用画像取得装置と有線にて接続された状態で受信するステップと、
前記第一医用画像情報処理部にて受信した医用画像情報を、無線を用いてクラウドコンピューティングへ送信するステップと、
該送信された医用画像情報を、無線を用いてクラウドコンピューティングから受信するステップと、
ＤＩＣＯＭ  ＳＴＯＲＡＧＥ  ＳＣＵ機能、及び、ＤＩＣＯＭ  ＳＴＯＲＡＧＥ  ＳＣＰ機能のうち、ＤＩＣＯＭ  ＳＴＯＲＡＧＥ  ＳＣＵ機能のみを有した第二医用画像情報処理部を用いて該受信した医用画像情報をＤＩＣＯＭ  ＳＴＯＲＡＧＥ  ＳＣＰ機能を有する画像サーバと有線にて接続された状態で前記画像サーバへ送信するステップと、
を有することを特徴とする医用画像情報転送方法。
【発明の詳細な説明】
【技術分野】
【０００１】
本発明は、医用画像取得装置で取得した医用画像情報を、クラウドを介して画像サーバへ転送する医用画像情報転送システム及び医用画像情報転送方法に関する。
【背景技術】
【０００２】
各施設等へ医用画像取得装置(X線診断装置、X線CT装置、磁気共鳴イメージング装置(MRI)、超音波診断装置など)を搭載した検診用車両を派遣し、集団検診を実施する際、検診用車両に搭載された医用画像取得装置と、当該医用画像取得装置で取得した医用画像情報を保存する画像サーバと、を物理的な制限から有線にてネットワーク接続が出来ない環境が存在する。また、近年、利便性の観点から、各医用画像取得装置で取得した医用画像情報のフォーマットと、それら医用画像情報を扱う医用画像取得装置と、の間の通信プロトコルを定義したDICOM(Digital Imaging and Communication in Medicine)規格が業界の標準規格として広まっている。また、医用画像取得装置の進歩に伴い、取得される医用画像情報のデータ量については増加の一途を辿っている。
【０００３】
これに対し、特許文献1では、DICOM STORAGE SCU機能とDICOM STORAGE SCU機能を備える医用画像情報の転送装置(可搬型ワークステーション、可搬型パーソナルコンピュータ)を用いて、DICOM STORAGE SCU機能を有する医用画像取得装置にて取得された医用画像情報を、DICOM STORAGE SCP機能を有する画像サーバへ転送することで、上記環境下においても大量の医用画像情報のデータを容易に転送可能とすることについて記載している。
【先行技術文献】
【特許文献】
【０００４】
【特許文献１】特開2002-253544号公報
【発明の概要】
【発明が解決しようとする課題】
【０００５】
しかしながら、特許文献1に記載の医用画像情報の転送装置(可搬型ワークステーション、可搬型パーソナルコンピュータ)では、医用画像取得装置に接続され且つ画像サーバに非接続の状態で、医用画像取得装置にて取得された医用画像情報を内蔵するハードディスクに記録した後、今度は、医用画像取得装置に非接続で且つ画像サーバ装置に接続した状態で、ハードディスクに記録された医用画像情報を、画像サーバ装置へ転送する構成となっているため、医用画像情報を転送するたびに転送装置(可搬型ワークステーション、可搬型パーソナルコンピュータ)を持ち運ぶ必要があり、落下等の不慮の事態により取得した医用画像情報を消失する虞がある。
【０００６】
そこで、本発明は、上記のような医用画像取得装置、画像サーバ間を搬送し、医用画像取得装置及び画像サーバのそれぞれに対し物理的な接続を行う転送装置を用いることなく、DICOM STORAGE SCU機能を有する検診用車両に搭載された医用画像取得装置にて取得された医用画像情報を、当該検診用車両とは異なる場所に設置されたDICOM STORAGE SCP機能を有する画像サーバへ転送することで、転送時における医用画像情報の消失の虞を低減する医用画像情報転送システム及び医用画像情報転送方法を提供する。
【課題を解決するための手段】
【０００７】
前記課題を解決するために、本発明の医用画像情報転送システムは、DICOM STORAGE SCU機能を有する医用画像取得装置にて取得された医用画像情報を、医用画像取得装置と有線にて接続された状態で受信するDICOM STORAGE SCP機能を有した第一医用画像情報処理部と、第一医用画像情報処理部にて受信した医用画像情報を、第一医用画像情報処理部と有線にて接続された状態で受信し、受信した医用画像情報を、無線を用いてクラウドコンピューティングへ送信する第一通信部と、送信された医用画像情報を、無線を用いてクラウドコンピューティングから受信する第二通信部と、第二通信部にて受信した医用画像情報を、第二通信部と有線にて接続された状態で受信し、受信した医用画像情報を、DICOM STORAGE SCP機能を有する画像サーバと有線にて接続された状態で画像サーバへ送信するDICOM STORAGE SCU機能を有した第二医用画像情報処理部と、を有し、第一医用画像情報処理部及び第一通信部は、第二医用画像情報処理部及び第二通信部とは別体に設けられていることを特徴とする。
【０００８】
また、本発明の医用画像情報転送方法は、DICOM STORAGE SCP機能を有した第一医用画像情報処理部を用いてDICOM STORAGE SCU機能を有する医用画像取得装置にて取得された医用画像情報を、医用画像取得装置と有線にて接続された状態で受信するステップと、第一医用画像情報処理部にて受信した医用画像情報を、無線を用いてクラウドコンピューティングへ送信するステップと、送信された医用画像情報を、無線を用いてクラウドコンピューティングから受信するステップと、DICOM STORAGE SCU機能を有した第二医用画像情報処理部を用いて受信した医用画像情報をDICOM STORAGE SCP機能を有する画像サーバと有線にて接続された状態で画像サーバへ送信するステップと、有することを特徴とする。
【発明の効果】
【０００９】
本発明によれば、DICOM STORAGE SCU機能を有する検診用車両に搭載された医用画像取得装置にて取得された医用画像情報を、当該検診用車両とは異なる場所に設置されたDICOM STORAGE SCP機能を有する画像サーバへ転送する際に生じる、当該医用画像情報の消失の虞を低減する医用画像情報転送システム及び医用画像情報転送方法を提供することができる。
【図面の簡単な説明】
【００１０】
【図１】本発明の医用画像情報転送システムの概略構成図
【図２】本発明の医用画像情報転送システムの動作順を説明するためのフロー図
【発明を実施するための形態】
【００１１】
以下、添付図面を用いて本実施例に係る医用画像情報転送システム及び医用画像情報転送方法について説明する。本発明の実施形態を説明する全図において、同一機能を有するものは同一符号を付し、その繰り返しの説明は省略する。
【００１２】
図1は、本発明の医用画像情報転送システムの概略構成図である。
【００１３】
医用画像情報転送システム1は、DICOM STORAGE Service Class Provider(以降、DICOM STORAGE SCPと言う)機能を有した第一医用画像情報処理部101と、第一通信部102と、DICOM STORAGE Service Class User(以降、DICOM STORAGE SCUと言う)機能を有した第二医用画像情報処理部103と、第二通信部104と、を有する。第一医用画像情報処理部101と第二医用画像情報処理部103は例えばパーソナルコンピュータなどで構成されている。また、第一通信部102、第二通信部104はこれらパーソナルコンピュータ内に設置してもよいし、パーソナルコンピュータ外に設置してもよい。
【００１４】
第一医用画像情報処理部101と第一通信部102及び、第二医用画像情報処理部103と第二通信部104は、それぞれ有線にて接続されており、第一医用画像情報処理部101及び第一通信部102は、第二医用画像情報処理部103及び第二通信部104とは別体に設けられている。
【００１５】
本実施例では第一医用画像情報処理部101、第一通信部102及びDICOM STORAGE SCU機能を有する医用画像取得装置105が検診車108に、第二医用画像情報処理部103と第二通信部104及びDICOM STORAGE SCP機能を有する画像サーバ107が施設109に配置された例を示している。医用画像取得装置105には、例えば、X線診断装置、X線CT装置、磁気共鳴イメージング装置(MRI)、超音波診断装置などがある。DICOM STORAGE SCP機能とは、DICOM規格で規定された医用画像情報を受け取る側に必要となるDICOMのサービスを提供する機能であり、DICOM STORAGE SCU機能とは、DICOM規格で規定した医用画像情報を送り出す側に必要となるDICOMのサービスを利用する機能である。
【００１６】
第一医用画像情報処理部101は、DICOM STORAGE SCU機能を有する医用画像取得装置105にて取得された医用画像情報を、医用画像取得装置105と有線にて接続された状態で受信し、第一医用画像情報処理部101に備えられた第一記憶部101aに保存する機能を有する。
【００１７】
第一通信部102は、第一医用画像情報処理部101の第一記憶部101aに保存された医用画像情報を、第一医用画像情報処理部101と有線にて接続された状態で受信する機能を有する。また、第一通信部102は、無線を用いてクラウドコンピューティング106と接続し、第一記憶部101aに保存された医用画像情報をクラウドコンピューティング106へ送信する機能を有する。
【００１８】
第二通信部104は、無線を用いてクラウドコンピューティング106と接続し、第一通信部102からクラウドコンピューティング106へ送信された医用画像情報を受信する機能を有する。
【００１９】
第二医用画像情報処理部103は、第二通信部104にて受信された医用画像情報を、第二通信部104と有線にて接続された状態で受信し、第二医用画像情報処理部103に備えられた第二記憶部103aに保存する機能を有する。また、第二医用画像情報処理部103は、有線を用いて画像サーバ107と接続し、第二記憶部103aに保存した医用画像情報を画像サーバ107へ送信する機能を有する。
【００２０】
次に、図2(a),(b)を用いて本発明の医用画像情報転送システム1の動作順について説明する。
【００２１】
ステップS201では、第一医用画像情報処理部101が、医用画像取得装置105からの医用画像情報を受信する。受信した場合はステップS202に進む。
【００２２】
ステップS202では、第一医用画像情報処理部101が、受信した医用画像情報を第一記憶部101aに保存し、ステップS203に進む。
【００２３】
ステップS203では、第一通信部102が、第一記憶部101aに保存された医用画像情報をクラウドコンピューティング106へ送信する。
【００２４】
本発明の医用画像情報転送システム1の動作は、ステップS201〜ステップS203とは別にステップS204では、第二通信部104が、第一通信部102からクラウドコンピューティング106へ送信された医用画像情報をクラウドコンピューティング106から受信する。医用画像情報を受信した場合はステップS205に進む。
【００２５】
ステップS205では、第二医用画像情報処理部103が、第二通信部104にて受信した医用画像情報を受信し、ステップS206に進む。
【００２６】
ステップS206では、第二医用画像情報処理部103が、受信した医用画像情報を第二記憶部103aに保存し、ステップS207に進む。
【００２７】
ステップS207では、第二医用画像情報処理部103が、第二記憶部103aに保存した医用画像情報を画像サーバ107へ送信する。画像サーバ107は第二医用画像情報処理部103から送信された医用画像情報を保存する。
【００２８】
以上、説明したように本発明の医用画像情報転送システムは、医用画像取得装置105からの医用画像情報を医用画像取得装置105に有線接続した状態で受信し、該受信した医用画像情報を、無線を用いてクラウドコンピューティング106へ送信する機構と、該送信された医用画像情報を、無線を用いてクラウドコンピューティング106から受信し、該受信した医用画像情報を、画像サーバ107に有線接続した状態で送信する機構と、を有するため、医用画像取得装置105と、医用画像取得装置105により取得された医用画像情報を保存する画像サーバ107と、が地理的/物理的に有線にて接続不可能な場合であって、医用画像取得装置105により取得された医用画像情報を画像サーバ107へ安全に転送することができる。
【００２９】
また、本発明はこれに限定されない。上記実施例では医用画像取得装置105が検診車に搭載された場合について説明したが、医用画像取得装置105が例えば超音波診断装置など比較的小型の装置である場合は、検診車に搭載せずとも自身で移動可能である。本発明の医用画像情報転送システムは、このような自身で移動可能な装置においても有効に効果を奏する。
【符号の説明】
【００３０】
1  医用画像情報転送システム、101  第一医用画像情報処理部、102  第一通信部、103  第二医用画像情報処理部、104  第二通信部、105  医用画像取得装置、106  クラウドコンピューティング、107  画像サーバ、108  検診車、109  施設
【要約】
【課題】  医用画像取得装置にて取得された医用画像情報を、地理的/物理的に有線にて接続不可能な画像サーバへ転送する際に生じる、医用画像情報消失の虞を低減する医用画像情報転送システムを提供する。
【解決手段】  本発明は、医用画像取得装置にて取得された医用画像情報を、医用画像取得装置と有線にて接続された第一医用画像情報処理部にて受信し、第一医用画像情報処理部と有線にて接続され、無線を用いてクラウドコンピューティングへ送信する第一通信部と、送信された医用画像情報を、無線を用いてクラウドコンピューティングから受信する第二通信部と、受信した医用画像情報を、第二通信部と有線にて接続され、有線にて接続された画像サーバへ送信する第二医用画像情報処理部と、を有し、第一医用画像情報処理部及び第一通信部は、第二医用画像情報処理部及び第二通信部とは別体に設けられていることを特徴とする。
【選択図】        図1【図１】
0005824176.tif 000002
【図２】
0005824176.tif 000003